(57)【要約】【課題】インフルエンザウイルスに対する殺菌性能に優れたマスクを提供する。【解決手段】不織布１５上に粘着層１６を形成するとともに、この粘着層１６を介して不織布１５上にアルミニウムから成る金属微粒子２１と亜鉛から成る金属微粒子２２とをそれぞれ担持させるようにし、しかも両金属微粒子２１、２２間に絶縁被膜２３を形成し、これによって不織布１５上に無数の電池を形成し、この電池の両極間で流れる電流を利用して微生物の制御電流を超える直流電流を微生物に流し、これによって殺菌を行なう。【選択図】図８
2009226711.tif 000002
【特許請求の範囲】
【請求項１】
鼻および口を覆って病原菌の吸入または／および放出を防ぐマスクにおいて、
通気性の殺菌シートを有し、該殺菌シートはイオン化傾向が異なる２種類の金属微粒子を担持し、該２種類の金属微粒子が絶縁被膜を介して対接され、前記殺菌シート上に無数の微小な電池が形成されることを特徴とするマスク。
【請求項２】
前記通気性の殺菌シートの基材が不織布であることを特徴とする請求項１に記載のマスク。
【請求項３】
前記通気性のシートの表面に通気性を有する粘着層が形成され、該粘着層を介して前記金属微粒子が担持されることを特徴とする請求項１に記載のマスク。
【請求項４】
前記通気性のシートの上に形成された前記粘着層の表面または前記シートの前記粘着層が形成された面とは反対側の表面に前記金属微粒子が担持されることを特徴とする請求項３に記載のマスク。
【請求項５】
表面に粘着層を形成したカバーシートを前記金属微粒子が担持されている前記殺菌シートの表面に接合することを特徴とする請求項３に記載のマスク。
【請求項６】
前記通気性の殺菌シートが２枚の不織布を接合して構成され、該不織布の一方の表面に粘着層が形成され、さらに前記粘着層の表面に前記金属微粒子が担持され、前記金属微粒子を担持した前記粘着層同士を互いに接合して前記粘着シートが形成されることを特徴とする請求項１に記載のマスク。
【請求項７】
前記通気性の殺菌シートが２枚の不織布を接合して構成され、該不織布の一方の表面に粘着層が形成されるとともに、他方の表面に前記金属微粒子が担持され、前記粘着層同士を互いに接合して前記殺菌シートが形成されることを特徴とする請求項１に記載のマスク。
【請求項８】
表面に粘着層が形成されたカバーシートを前記金属微粒子が担持されている前記殺菌シートの表面に接合することを特徴とする請求項７に記載のマスク。
【請求項９】
前記２種類の金属微粒子は、溶射によって殺菌シート上に担持されることを特徴とする請求項１に記載のマスク。
【請求項１０】
前記２種類の金属微粒子がアルミニウムと亜鉛であることを特徴とする請求項１に記載のマスク。
【請求項１１】
前記粘着層が加熱されると粘着性を発現するホットメルト型粘着剤から構成されることを特徴とする請求項１に記載のマスク。
【請求項１２】
吸気の水分を吸収保持する保湿シートを有し、該保湿シートが前記殺菌シートと接合され、あるいは２枚の殺菌シート間に挟着されることを特徴とする請求項１に記載のマスク。
【請求項１３】
前記殺菌シートの周縁部に装着されたときに隙間が生ずるのを防ぐ切込みが形成されることを特徴とする請求項１に記載のマスク。
【発明の詳細な説明】
【技術分野】
【０００１】
本発明はマスクに係り、とくに人間の鼻および口を覆って病原菌の吸入または／および放出を防ぐマスクに関する。
【背景技術】
【０００２】
一般にインフルエンザは、ウイルスが人体内に侵入して発症する感染症である。ウイルスによるインフルエンザは、極めて感染性が高い特徴を有している。また鳥インフルエンザに代表されるように、人類にとって脅威のウイルス性のインフルエンザが流行することが懸念されている。このようなインフルエンザウイルスは、交通機関の発達によって、世界的規模で拡散して爆発的に感染する可能性がある。このようなウイルス性のインフルエンザに対する対策は、非常に困難である。
【０００３】
また上述のようなウイルス性の感染症を防止するために、従来のマスクはほとんど無力である。すなわちウイルスは非常に微細な微生物であるために、通気性を有する従来のマスクをウイルスが容易に透過することができる。このためにマスクを装着していても、ウイルスを吸入してしまい、あるいはまた感染した人がマスクを通してウイルスを発散することとなっており、マスクによるウイルスの感染の予防は実質的に不可能であった。
【０００４】
ウイルス耐用の高密度繊維（Ｎ９５）を用いたマスクの場合には、マスクそれ自体の気密度が大きく、通気性が悪く、このためにマスクを装着した人の呼吸が困難になる問題があった。すなわち十分な外気を肺の中に取込むことができないために、長時間の作業が困難であり、あるいはまた力作業を必要とする仕事ができず、さらには作業時間を短縮しなければならない問題があった。
【０００５】
特許第３２７６１４１号公報には、植物性繊維布に亜鉛または亜鉛合金溶射を施した抗菌性布が開示されている。この抗菌性布は、亜鉛が有する抗菌性を利用するものであって、殺菌性能が低いばかりでなく、ウイルスに対する殺菌性をほとんど有していない。またここで亜鉛を植物性繊維布に溶射すると、植物繊維布が燃焼し、しかも付着した亜鉛微粒子は、洗濯によって容易に脱落してしまい、これによって耐久性がない欠点がある。
【特許文献１】特許第３２７６１４１号公報
【発明の開示】
【発明が解決しようとする課題】
【０００６】
本願発明の課題は、病原菌に対する殺菌性能に優れたマスクを提供することである。
【０００７】
本願発明の別の課題は、ウイルスに対する殺菌性能に優れたマスクを提供することである。
【０００８】
本願発明のさらに別の課題は、インフルエンザウイルスを殺菌することができるマスクを提供することである。
【０００９】
本願発明のさらに別の課題は、耐薬品性のウイルスを殺菌することが可能なマスクを提供することである。
【００１０】
本願発明の上記の課題および別の課題は、以下に述べる本願発明の技術的思想およびその実施の形態によって明らかにされる。
【課題を解決するための手段】
【００１１】
本願の主要な発明は、鼻および口を覆って病原菌の吸入または／および放出を防ぐマスクにおいて、
通気性の殺菌シートを有し、該殺菌シートはイオン化傾向が異なる２種類の金属微粒子を担持し、該２種類の金属微粒子が絶縁被膜を介して対接され、前記殺菌シート上に無数の微小な電池が形成されることを特徴とするマスクに関するものである。
【００１２】
ここで、前記通気性の殺菌シートの基材が不織布であってよい。また前記通気性のシートの表面に通気性を有する粘着層が形成され、該粘着層を介して前記金属微粒子が担持されてよい。また前記通気性のシートの上に形成された前記粘着層の表面または前記シートの前記粘着層が形成された面とは反対側の表面に前記金属微粒子が担持されてよい。また表面に粘着層を形成したカバーシートを前記金属微粒子が担持されている前記殺菌シートの表面に接合するようにしてよい。また前記通気性の殺菌シートが２枚の不織布を接合して構成され、該不織布の一方の表面に粘着層が形成され、さらに前記粘着層の表面に前記金属微粒子が担持され、前記金属微粒子を担持した前記粘着層同士を互いに接合して前記粘着シートが形成されてよい。また前記通気性の殺菌シートが２枚の不織布を接合して構成され、該不織布の一方の表面に粘着層が形成されるとともに、他方の表面に前記金属微粒子が担持され、前記粘着層同士を互いに接合して前記殺菌シートが形成されてよい。また表面に粘着層が形成されたカバーシートを前記金属微粒子が担持されている前記殺菌シートの表面に接合するようにしてよい。
【００１３】
また、前記２種類の金属微粒子は、溶射によって殺菌シート上に担持されてよい。また前記２種類の金属微粒子がアルミニウムと亜鉛であってよい。また前記粘着層が加熱されると粘着性を発現するホットメルト型粘着剤から構成されてよい。また吸気の水分を吸収保持する保湿シートを有し、該保湿シートが前記殺菌シートと接合され、あるいは２枚の殺菌シート間に挟着されてよい。また前記殺菌シートの周縁部に装着されたときに隙間が生ずるのを防ぐ切込みが形成されてよい。
【発明の効果】
【００１４】
本願の主要な発明は、鼻および口を覆って病原菌の吸入または／および放出を防ぐマスクにおいて、通気性の殺菌シートを有し、該殺菌シートはイオン化傾向が異なる２種類の金属微粒子を担持し、該２種類の金属微粒子が絶縁被膜を介して対接され、殺菌シート上に無数の微小な電池が形成されるようにしたものである。
【００１５】
従ってこのようなマスクによると、通気性の殺菌シート上に担持された２種類の金属微粒子によって無数の微小な電池が形成され、この電池の両極間に生ずる電位差によって微小電流が流れ、このような微小電流がウイルス等の非常に微細な微生物の制御系をコントロールする制御電流を超える電流を通ずることになり、これによって微生物が死滅する。従ってウイルス等の非常に微小な微生物を確実に殺菌することが可能になる。
【発明を実施するための最良の形態】
【００１６】
以下本願発明を図示の実施の形態によって説明する。図１Ａは、マスクの殺菌構造を示すものであって、ここでマスクは、複数枚の、例えば２枚の殺菌シート１０を備えており、これらの殺菌シート１０が、保湿シート１１を介して重ねられている。ここでは２枚の殺菌シート１０と３枚の保湿シート１１とを重ねて構成されている。
【００１７】
図１Ｂは、別の構成の例であって、ここでは３枚の殺菌シート１０が、４枚の保湿シート１１と組合わされ、これらが交互に配置されて７層構造のマスクを構成している。このように、本実施の形態のマスクは、複数枚の殺菌シート１０と、複数枚の保湿シート１１とを互いに交互に組合わせた構造になっている。
【００１８】
図２Ａは、上記殺菌シート１０の構成を示しており、ここでは不織布１５が基材として用いられ、この不織布１５の一方の表面にホットメルト粘着剤から成る粘着層１６が形成される。そしてこのような粘着層１６の表面には、アルミニウムから成る金属微粒子２１と、亜鉛から成る金属微粒子２２とが担持される。なおこれらの金属微粒子２１、２２は、粘着層１６を形成した不織布１５の表面に同時に、あるいはまた別々に、溶射等の方法によって付着担持されてよい。このときにアルミニウムの金属微粒子２１と亜鉛の金属微粒子２２とが互いにばらばらの状態でしかも両者が混ざり合うようにして担持される。なお図２Ａにおいて、不織布１５が凹凸を有しているのは、スポット状に圧力を加えながらこの不織布１５の表面に粘着層１６を形成したからである。
【００１９】
なおここで粘着層１６を形成するためのホットメルト粘着剤としては、ポリエチレン系、ポリアミド系、ポリエステル系、ポリウレタン系、アクリル樹脂、塩化ビニール樹脂等の各種のホットメルト粘着剤が用いられる。この場合において、溶融する温度を適正な値とするために、上記の各種の粘着剤の中から最適なものを選択することができる。
【００２０】
図２Ｂは、別の殺菌シート１０の例を示している。ここでは不織布１０の一方の面にホットメルト粘着剤から成る粘着層１６が形成される。しかも上記不織布１５の粘着層１６が形成されている表面とは反対側の表面に、アルミニウムから成る金属微粒子２１と、亜鉛から成る金属微粒子２２とが混ざり合うようにして担持されている。一般に不織布１５の表面に形成される粘着層１６の表面に直接金属微粒子２１、２２を担持させる代わりに、加熱によって反対側の面に浸出したホットメルト接着剤を用いて不織布１５を介して反対側の面に担持させるようにしてもよい。図２Ｂにおいては粘着層１６は不織布１５の表面に独立した状態で描かれているが、実際には粘着層１６が不織布１５内に浸透し、これによって粘着層１６を形成した面とは反対側の面においても粘着層１６が浸出しているために、不織布１５の粘着層１６を形成した面とは反対側の面についても、粘着層１６の粘着力を利用して金属微粒子２１、２２を担持させることができる。
【００２１】
次に２枚の不織布１５を用いて殺菌シート１０を形成する構成について図３によって説明する。図３Ａに示すように、一方の表面に粘着層１６が形成された不織布１５を２枚用意する。そしてこれらの不織布１５上の粘着層１６の表面に、金属微粒子２１、２２をそれぞれ担持させる。このような状態において、図３Ｂに示すように、両側の不織布１５を互いに接合し、これらの不織布１５の表面に形成されている粘着層１６を互いに接合する。すると粘着層１６の表面に形成されている金属微粒子２１、２２が両側の粘着層１６によって挟着された状態で、一対の不織布１５が接合されることになる。このような構成は、とくに不織布１５上に粘着層１６を介して担持されている金属微粒子２１、２２を、両側の不織布１５によって確実に覆うことが可能になる。従って金属微粒子２１、２２の脱落が防止される。なお金属微粒子２１、２２による殺菌作用は、図３Ｂに示すように接合された構造の殺菌シート１０内を空気または吸気が通過する際に、その中に含まれるウイルスを殺菌することができるために、殺菌性能が低下することはない。
【００２２】
図４Ａは別の構成を示しており、ここでは不織布１５の一方の面に粘着層１６が形成されるとともに、反対側の面に金属微粒子２１、２２が形成された２枚の不織布１５を用いる。そしてこれらの不織布１５を、それらの上の粘着層１６が互いに向かい合うようにして接合する。これによって図４Ｂに示すように、外表面に２種類の金属微粒子２１、２２が担持された殺菌シート１０が形成される。ここで殺菌シート１０は、上記の粘着層１６を点接によって圧着接合するようにしているために、図４Ｂに示すように、不織布１５がその表面が凹凸を有するようになる。
【００２３】
図２Ａに示す殺菌シート１０は粘着剤層１６の表面に金属微粒子２１、２２が露出した状態で担持されている。また図２Ｂあるいは図４Ｂに示す殺菌シート１０は、その外表面であって、とくに粘着層１６が形成されていない面に金属微粒子２１、２２が担持される。従ってこのような金属微粒子２１、２２を保護するために、図５に示すような構成とすることができる。
【００２４】
図２Ａに示すように、不織布１５の上にさらに粘着層１６を介して金属微粒子２１、２２が担持され、しかもこのような金属微粒子２１、２２が外表面に露出している場合には、カバーシートを構成する不織布２５をその表面に被せればよい。ここでカバーシートを構成する不織布２５には、その一方の面に粘着層２６が形成されており、このような粘着層２６を殺菌シート１０の金属微粒子２１、２２を担持する接着剤層１６の表面に被せるように接合する。図２Ｂの殺菌シート１０の場合には、金属微粒子２１、２２が露出している不織布１５の表面にカバーシートを接合すればよい。
【００２５】
また図４Ｂに示すように、互いに粘着層１６を介して接合されている両側の不織布１５の外表面にそれぞれ金属微粒子２１、２２が担持されている場合には、これらの金属微粒子２１、２２を覆うように、粘着層１６を有する不織布２５をその両側の外表面上に被せればよい。ここで粘着層２６が不織布１５の外表面の金属微粒子２１、２２を覆うことになり、これによって金属微粒子２１、２２の脱落が防止される。
【００２６】
図６はマスクの内側に用いられる殺菌シート１０に、切込み３０を入れた構成を示している。インフルエンザウイルスの感染防止のためのマスクの場合には、殺菌シート１０それ自体がウイルスに対する殺菌性能を有していても、このマスクと顔の装着位置の周縁部との間に隙間を生ずると、この隙間を通してウイルスが侵入し、あるいは放出される。そこで、上記の隙間が生じないように、殺菌シート１０の周縁部に適宜切込み３０を入れ、これによって顔の装着部位とマスクとの間の隙間を無くすようにする。
【００２７】
次に具体的なマスクの構成の一例を図７〜図１０によって説明する。マスク３５は、図７〜図９に示すようにほぼ半楕円体の形状をなしており、人の顔面の鼻から口を覆う形状になっている。そしてこのようなマスク３５には、２本のゴムバンド３６が取付けられる。ゴムバンド３６は、結合部３７のところで熱溶着によってマスク３５に結合されている。またこのマスク３５はその周縁部が溶着されて周縁溶着部３８になっており、周縁部において一体化されている。またマスク３５には、外表面にへの字型に屈曲した金属板３９が取付けられている。金属板３９は塑性変形可能であって、これによってとくにマスク３５の上部であって、鼻の外側の部分の形状を成形し、鼻の上側との間の密着度を高めるためのものである。また上記金属板３９に対応するように、マスク３５の内側であって上部にはとくに図９に示すように、への字型のスポンジパッド４０が接着されている。スポンジパッド４０は、とくに鼻の上側の部分におけるマスク３５との間の隙間を無くし、呼気あるいは吸気の漏れを無くすためのものである。
【００２８】
次に上記マスク３５の積層構造を図１０Ａによって説明する。このマスク３５は、中央に配された単一の保湿シート１１を挟むようにその両側に抗菌シート１０を配しており、しかも外側には外カバー４２が重合わされ、内側に内側シート４４が重合わされるようになっている。なお外カバー４２はその内表面に形成された粘着層４３によって殺菌シート１０に接合される。また内側シート４４は、粘着層４５によって内側の殺菌シート１０の表面に接合される。
【００２９】
図１０Ｂは、図１０Ａに示す殺菌シート１０の構成例を示しており、ここでは、２枚の不織布１５の表面にそれぞれホットメルト粘着材から成る粘着層１６が形成されるとともに、これらの粘着層１６の表面にアルミニウムから成る金属微粒子２１と亜鉛から成る金属微粒子２２とがそれぞれ溶着されて担持されている。そして両側の不織布１５は、上記金属微粒子２１、２２を担持した粘着層１６によって互いに接合固定され、これによって２層構造の殺菌シート１０を構成している。
【００３０】
次に上述のような殺菌シート１０の殺菌の原理について説明する。アルミニウムから成る金属微粒子２１と亜鉛から成る金属微粒子２２とは、例えば同時に溶射によって粘着層１６または不織布１５上に担持させて形成する。このときにアルミニウムと亜鉛とは、それらのイオン化傾向が互いに異なるために、表１に示すように、アルミニウム微粒子２１と亜鉛微粒子２２との間に０．９Ｖの電位差を発生する。
【００３１】
【表１】
2009226711.tif 000003
【００３２】
金属アルミニウムの溶融温度は６６０℃であり、亜鉛の溶融温度は約４２０℃である。従って例えば１０００℃の電気マークによる溶射を行なうと、アルミニウムおよび亜鉛はともに瞬時に溶けるとともに、溶けた金属が圧縮空気によって発生される高速の空気流によって霧状に噴霧される。従って空気流に晒すように粘着層１６を有する不織布１５を配置しておくと、不織布１５の表面に金属微粒子２１、２２が付着固定される。なおこのような構成に代えて、先に一方の、例えば亜鉛の金属微粒子２２を不織布１５上に付着させ、その後にアルミニウムの金属微粒子２１を付着させるようにしてもよい。
【００３３】
このような金属微粒子２１、２２の溶射による不織布１５上への付着によって、金属アルミニウムが溶けて金属亜鉛微粒子２２の周囲に浸透し、さらに高温によって酸素と結合し、アルマイトよりも硬い特殊な酸化被膜を形成する。この酸化被膜は、電気的に高い絶縁性を有し、絶縁被膜になる。しかもこのような絶縁被膜２３は、図１１に拡大して示すように、両金属微粒子２１、２２間の界面に形成される。なおこのような絶縁被膜２３の厚さは１０００Å以下である。このような絶縁被膜２３を挟んで、互いにイオン化傾向が異なるアルミニウムの微粒子２１と亜鉛の微粒子２２によって乾電池が形成される。すなわち霧状に噴霧された微粒子金属は両金属２１、２２をそれぞれ電極とする乾電池を形成する。なお不織布１５に叩きつけられるようにして付着した金属微粒子２１、２２は、１粒子当り数１０個の乾電池を形成することになる。そして不織布１５に付着した金属微粒子２１、２２は無数に近い数量であり、従って不織布１５上にはその表面に無数の乾電池が形成される。このような乾電池は、図１２に示すように、上記イオン化傾向によって約０．９Ｖの電位差を生じ、このような電位差によって図１２に示すように両電極間に電流を流すようになる。このような電流が微生物を瞬時に破壊する。
【００３４】
図１３に示すように、ウイルス等の微細な微生物は、その体内において、生態系の制御のための制御電流を流しており、このような制御電流によって微生物がその生命活動を維持している。ところが上記の不織布１５上に形成された乾電池による電流は、上記の制御電流の電圧をはるかに超える直流電流である。このような直流電流によって、微生物の制御が不能の状態になり、このために微生物はその生命を維持できなくなって死滅する。すなわちここでは、生態系の制御電流よりもはるかに高い直流電圧を印加することによって、微生物が死滅することにより、殺菌を行なうものである。
【００３５】
一般に従来の殺菌作用は、微生物が直接薬品に接触しなければ発生しなかった。これに対して本発明のマスクに用いられている殺菌シート１０は、対象となる微生物が直接接触しなくても、２種類の金属微粒子２１、２２間に生ずる電位差によって流れる電流で、空気中でも容易に死滅することになる。従って従来の薬品を用いた殺菌作用とは全く異なる原理によって、インフルエンザウイルス等の有害な微生物を殺菌することが可能になる。
【００３６】
なお上述のような２種類の金属微粒子２１、２２を用いた殺菌作用は、空気中の水分、炭酸ガス、または水と反応し、外部直流電源を使わずとも、加水分解するエネルギーを有する。この強い電気エネルギーによって、細菌やウイルスを殺菌するものと考えられる。
【００３７】
２種類の金属微粒子２１、２２から成る電池は、水分や炭酸ガスと反応して亜鉛の金属微粒子２２がゆっくり溶ける。従って使用期間は年単位であって、殺菌性マスクの耐用年数が長く保たれる。なお真空中では数１０年の保存が可能である。従って緊急時のためにマスクを備蓄する場合には、真空パック保存を行なうことによって、水分や炭酸ガスを遮断した状態で、金属亜鉛が溶けるのを防止しながら長期間に亙って安定に保存できるようになる。
【００３８】
またインフルエンザウイルスの類は、湿度が大きいときにはその増殖が抑えられる性質をもっている。そこで空気の湿度を利用し、マスクの内部の湿度を高めて、ウイルスの増殖を抑えるために、図１Ａ、Ｂに示すように、保湿シート１１を用いる。保湿シート１１は、侵入する微生物を防御し、殺菌を促進する。なおこのような保湿シート１１としては、植物性綿、または化学繊維綿が好適に用いられる。
【００３９】
図１Ａあるいは図１Ｂに示すような殺菌シート１０と保湿シート１１との積層構造は、外カバーの内部に収納されることになる。従って唇や鼻が図１に示す積層構造に直接接触しないようになる。また図６に示すように、殺菌シート１０にはその周縁部に適宜切込み３０を入れ、微生物侵入あるいは放出の隙間を無くし、マスクの柔軟性とフィット感を良好にする構造とする。なお切込み３０は、その装着部位に応じて、長さを任意に調整するとともに、急激な長さの変化を回避することによって、横に少しずらしてマスクの隙間を無くし、微生物の侵入を防止できるようなる。
【００４０】
本発明のマスクに用いる殺菌シート１０のインフルエンザウイルス活性について試験を行なった結果が、表２および図１４に示される。表２のＧは、アルミニウムと亜鉛とを同時に溶射して被膜を形成させた３ｃｍ２の不織布に、インフルエンザウイルス液１００μｌ添加後に、１５ｍｌ遠心管に密閉して室温（２５℃）で放置したものであって、表中の時間到来時に液体培地２ｍｌを加えてｖｏｒｔｅｘ後、３０００ｒｐｍで１５分間遠心分離し、上清のウイルス量を測定した結果である。またＣ（布無）は、上記Ｇと同じインフルエンザウイルス液１００μｌを１５ｍｌ遠心管に密閉して室温（２５℃）に放置し、後はＧと同様の処理をしてウイルス量を測定したものである。またＣ（布有）は、３ｃｍ２の不織布にＧと同じインフルエンザウイルス液１００μｌ添加後に、１５ｍｌ遠心管に密閉し、室温（２５℃）に放置したものであって、後はＧと同じ処理をしてウイルス量を測定した結果である。またここでは、上記Ｇ、Ｃ（布無）、Ｃ（布有）について、インフルエンザウイルス（ＰＲ−８株）を３ｃｍ２の不織布１枚当りに、約１０６ＰＦＵ／１００μｌ加えて感染力価によってウイルス活性評価を行なっている。
【００４１】
【表２】
2009226711.tif 000004
【００４２】
【表３】
2009226711.tif 000005
【００４３】
表２は、各時間におけるＣ（布有）を１００％とした場合のインフルエンザウイルス活性評価の結果を示している。またこの表中の数字は、ウイルスＰｌａｑｕｅ形成率（％）である。
【００４４】
図１４は、上記表１の結果をグラフで示したものである。この結果から明らかな如く、本実施の形態の殺菌シート１０は、とくにインフルエンザウイルスに対して高い殺菌性能を有することが明らかに証明されている。
【００４５】
以上本願発明を図示の実施の形態によって説明したが、本願発明は上記実施の形態によって限定されることなく、本願発明の技術的思想の範囲内において各種の変更が可能である。例えば上記実施の形態における、殺菌シート１０と保湿シート１１との積層構造については、必ずしも図１に示す構造に限定されるものではない。また殺菌シート上に担持される金属微粒子の組合わせについても、必ずしもアルミニウムと亜鉛との組合わせに限定されることなく、イオン化傾向の差による電位差を発生する他の金属を用いることも可能である。
【産業上の利用可能性】
【００４６】
本願発明は、インフルエンザウイルス等の微生物の殺菌性能に優れたマスクとして利用することができる。
【図面の簡単な説明】
【００４７】
【図１】マスクの内部に配される殺菌シートと保湿シートの組合わせを示す断面図である。
【図２】不織布上における金属微粒子の担持を示す断面図である。
【図３】２枚の不織布を用いた殺菌シートの組立てを示す縦断面図である。
【図４】２枚の不織布を用いた別の殺菌シートの組立てを示す縦断面図である。
【図５】殺菌シートに対するカバーシートの組合わせを示す断面図である。
【図６】殺菌シートに対する切込みの配置を示す平面図である。
【図７】一実施例のマスクの外観斜視図である。
【図８】同マスクの外側から見た正面図である。
【図９】同マスクの内側から見た正面図である。
【図１０】マスクの断面の積層構造（Ａ）および殺菌シートの積層構造の断面図である。
【図１１】金属微粒子と絶縁被膜との配置を示す拡大断面図である。
【図１２】２つの金属によって生ずる電流の流れを示す拡大断面図である。
【図１３】時間に対する電圧の変化を示すグラフである。
【図１４】インフルエンザウイルスに対する活性を示すグラフである。
【符号の説明】
【００４８】
１０  殺菌シート
１１  保湿シート
１５  不織布
１６  粘着層（ホットメルト粘着剤）
２１  金属微粒子（アルミニウム）
２２  金属微粒子（亜鉛）
２３  絶縁被膜
２５  不織布（カバーシート）
２６  粘着層
３０  切込み
３５  マスク
３６  ゴムバンド
３７  結合部
３８  周縁溶着部
３９  金属板
４０  スポンジパッド
４２  外カバー
４３  粘着層
４４  内側シート
４５  粘着層
【図１】
2009226711.tif 000006
【図２】
2009226711.tif 000007
【図３】
2009226711.tif 000008
【図４】
2009226711.tif 000009
【図５】
2009226711.tif 000010
【図６】
2009226711.tif 000011
【図７】
2009226711.tif 000012
【図８】
2009226711.tif 000013
【図９】
2009226711.tif 000014
【図１０】
2009226711.tif 000015
【図１１】
2009226711.tif 000016
【図１２】
2009226711.tif 000017
【図１３】
2009226711.tif 000018
【図１４】
2009226711.tif 000019